(57)【要約】【課題】本発明は、水中の炭酸ガス濃度を高くすることができ、かつ施工工事も簡単な風呂装置及び炭酸ガス導入ユニットを開発することを目的とした。【解決手段】風呂装置１は、水を加熱する熱源部２と熱源部２とは別個にユニット化された炭酸ガス導入ユニット３とを有し、熱源部２と浴槽５との間で追い焚き循環回路５５を構成している。炭酸ガス導入ユニット３は炭酸ガスを水に溶解する炭酸ガス溶解装置８３を有し、炭酸ガス溶解装置８３において水供給流路８４から供給される常温又は常温近くの水に炭酸ガスを溶解させる。そして炭酸ガスが溶解された水は、ガス溶解水接続流路７７を介して、追い焚き循環回路５５に導入されて浴槽５に供給される。これにより、浴槽５内に、炭酸ガスが高濃度に溶解された適温の湯を溜めることができる。【選択図】図１
2011208915.tif 000002
【特許請求の範囲】
【請求項１】
熱源部と、当該熱源部とは別個にユニット化された炭酸ガス導入部とを有し、前記熱源部と浴槽との間で追い焚き循環回路を構成する風呂装置であって、前記炭酸ガス導入部は、炭酸ガスを水に溶解する炭酸ガス溶解装置と、追い焚き用熱交換器と、前記追い焚き用熱交換器を含む追い焚き循環回路の一部と、前記炭酸ガス溶解装置と前記追い焚き循環回路とを接続するガス溶解水接続流路とを備え、炭酸ガス溶解装置の上流側には炭酸ガス溶解装置に水を供給する水供給流路が接続され、炭酸ガス溶解装置の下流側は前記ガス溶解水接続流路によって追い焚き循環回路に接続されており、水供給流路から常温又は常温近くの水が炭酸ガス溶解装置に供給されて当該水に炭酸ガスが溶解され、前記ガス溶解水接続流路を介して前記炭酸ガスが溶解された水が追い焚き循環回路に導入されて浴槽に炭酸ガスが溶解された水が供給されるガス溶解水落とし込み動作が可能であることを特徴とする風呂装置。
【請求項２】
前記熱源部は水を加熱する機能を持ち、前記炭酸ガス導入部は熱源部で加熱された水が通過するガスレス水接続流路を有し、ガスレス水接続流路は前記ガス溶解水接続流路と合流して或いは前記ガス溶解水接続流路とは独立的に追い焚き循環回路に接続され、熱源部で加熱された水が追い焚き循環回路に導入されて浴槽に供給されることを特徴とする請求項１に記載の風呂装置。
【請求項３】
熱源部で加熱された水を炭酸ガスを溶解することなく追い焚き循環回路に導入して浴槽に供給するガスレス落とし込み動作を実行可能であり、浴槽に落とし込む水の温度を設定する温度設定手段を有し、ガスレス落とし込み動作の際には熱源部から炭酸ガス導入部に送水される水の温度が前記温度設定手段で設定された設定温度に調整され、ガス溶解水落とし込み動作の際には、加熱されていない水をガス溶解水接続流路を経由して追い焚き循環回路に流すとともに熱源部で前記設定温度以上に加熱された水をガスレス水接続流路を経由して追い焚き循環回路に流し、浴槽に供給することを特徴とする請求項２に記載の風呂装置。
【請求項４】
ガス溶解水落とし込み動作の際には熱源部から炭酸ガス導入部に送水される加熱された水と加熱されていない水の混合後の温度が温度設定手段で設定された設定温度となる様に調整されることを特徴とする請求項２又は３に記載の風呂装置。
【請求項５】
熱源部で加熱された水の温度と、加熱されていない水の温度から、加熱された水の適正量と加熱されていない水の適正量を演算し、当該演算に基づく量の加熱された水と加熱されていない水を追い焚き循環回路に導入して浴槽に供給することを特徴とする請求項２乃至４のいずれかに記載の風呂装置。
【請求項６】
浴槽に落とし込む水の温度を設定する温度設定手段を有する構成であり、ガス溶解水落とし込み動作の際には設定温度が補正されて熱源部から炭酸ガス導入部に送水される加熱された水と加熱されていない水の混合後の温度が温度設定手段で設定された温度よりも高い温度となる様に調整されることを特徴とする請求２乃至５のいずれかに記載の風呂装置。
【請求項７】
熱源部で加熱された水を炭酸ガスを溶解することなく追い焚き循環回路に導入して浴槽に供給するガスレス落とし込み動作を実行可能であり、浴槽に落とし込む水の温度を設定する温度設定手段を有し、ガスレス落とし込み動作の際には追い焚き循環回路に導入して浴槽に供給される水の温度が前記温度設定手段で設定された温度に調整され、ガス溶解水落とし込み動作の際には追い焚き循環回路に導入して浴槽に供給される水の混合後の温度が前記温度設定手段で設定された温度よりも低い温度となる様に調整され、所定量の水が浴槽内に溜まった後に浴槽内の水を追い焚き循環回路に循環させ、追い焚き用熱交換器によって追い焚き循環回路を流れる水を加熱して浴槽内の水の温度を前記温度設定手段で設定された温度に調整することを特徴とする請求２乃至５のいずれかに記載の風呂装置。
【請求項８】
前記熱源部は、熱媒体を加熱する熱媒体加熱部を有し、前記炭酸ガス導入部は前記追い焚き循環回路を含み、追い焚き用熱交換器は熱媒体と水との間で熱交換する液・液熱交換器であり、熱媒体加熱部で加熱された熱媒体が追い焚き用熱交換器に導入されて浴槽内の水と熱媒体との間で熱交換が行われることを特徴とする請求項１乃至７のいずれかに記載の風呂装置。
【請求項９】
浴槽に水を落とし込み、予約した所定の時刻又は当該時刻に至るまでに、浴槽内の水を加熱して設定温度に至らすことができる時刻予約機能を備えていることを特徴とする請求項１乃至８のいずれかに記載の風呂装置。
【請求項１０】
浴槽と、任意の温度の水を作ることができる熱源部とに接続される炭酸ガス導入ユニットであって、浴槽内の水を追い焚き用熱交換器を経由して循環させる追い焚き循環回路形成部と、給水源に接続される低温側給水口と、熱源部に接続される高温側給水口と、炭酸ガスを水に溶解する炭酸ガス溶解装置と、ガス溶解水接続流路と、ガスレス水接続流路とを有し、炭酸ガス溶解装置の上流側には低温側給水口が接続され、炭酸ガス溶解装置の下流側はガス溶解水接続流路によって追い焚き循環回路形成部に接続されており、ガスレス水接続流路は一端側が高温側給水口に接続され他端側が前記ガス溶解水接続流路と合流して或いは前記ガス溶解水接続流路とは独立的に追い焚き循環回路形成部に接続されており、炭酸ガスが溶解された水と炭酸ガスが溶解されていない水が別々にまたは混合された後に浴槽に供給されることを特徴とする炭酸ガス導入ユニット。
【請求項１１】
熱媒体導入口と熱媒体排出口とを有し、追い焚き用熱交換器は熱媒体と水との間で熱交換する液・液熱交換器であり追い焚き用熱交換器に熱媒体導入口と熱媒体排出口とが接続されていることを特徴とする請求項１０に記載の炭酸ガス導入ユニット。
【発明の詳細な説明】
【技術分野】
【０００１】
本発明は、家庭内で炭酸泉を実現し、家庭で炭酸浴を楽しむことができる風呂装置に関するものである。
【背景技術】
【０００２】
有馬温泉などの炭酸ガスを多く含む温泉は炭酸泉と称され、炭酸泉に入浴する炭酸浴は、健康増進に役立つことが古くからの経験で知られている。また炭酸浴の健康に対する有用性は、科学的にも実証されている。即ち炭酸浴は、毛細血管の血流を促進する効果があり、血圧低下や心拍数の低下をもたらす。そのため、退行性病変や抹消循環障害の治療に効果がある。
【０００３】
そこで家庭内で炭酸浴を楽しみたいという市場の要求があり、家庭内で炭酸泉を作り出す装置が特許出願されている。
特許文献１に開示された発明は、浴槽に炭酸泉生成ユニットを取り付けるものである。即ち特許文献１に開示された発明は、浴槽に追い焚きユニットを備えた風呂装置を対象とするものであり、追い焚きユニットとは別途に炭酸泉生成ユニットを取り付ける。
特許文献１に開示された炭酸泉生成ユニットは、浴槽内に溜められた水を炭酸泉生成ユニットに導入し、この水に炭酸ガスを溶解させて浴槽に戻すものである。
【先行技術文献】
【特許文献】
【０００４】
【特許文献１】特開２００７−２６３４２３号公報
【発明の概要】
【発明が解決しようとする課題】
【０００５】
特許文献１に開示された風呂装置を使用すると、家庭で炭酸浴を楽しむことができる。しかしながら特許文献１に開示された風呂装置によると、水に溶け込む炭酸ガスの濃度が低く、十分な健康増進効果を期待することができない。即ち特許文献１に開示された風呂装置は、前記した様に浴槽内に溜められた水を炭酸泉生成ユニットに導入し、この水に炭酸ガスを溶解させて浴槽に戻すものである。特許文献１に開示された風呂装置は、既に浴槽に溜められた湯に対して炭酸ガスを溶解する。しかしながら、既に浴槽に溜められた湯は、加熱されていて常温よりも温度が高い場合が多い。そして気体の水に対する溶解度は、水温が高いほど低い。そのため特許文献１に開示された方策は、炭酸ガスの溶解能力が低い湯に対して炭酸ガスを溶解せんとするものであり、炭酸ガスが溶けにくく、炭酸ガスの濃度が上がらない。
【０００６】
また特許文献１に開示された構成は、追い焚き循環回路とは別途に炭酸ガス溶解用の循環回路を必要とする。そのため浴槽から水を出し入れするための出入口を追い焚き循環回路用のものと炭酸ガス溶解用のものと２種類設ける必要があり、施工工事が面倒である。
【０００７】
そこで本発明は、従来技術の上記した問題点に注目し、水中の炭酸ガス濃度を高くすることができ、かつ施工工事も簡単な風呂装置を開発することを課題とする。
また同様の課題を解決することができる炭酸ガス導入ユニットを開発することを課題とする。
【課題を解決するための手段】
【０００８】
上記した課題を解決するための請求項１に記載の発明は、熱源部と、当該熱源部とは別個にユニット化された炭酸ガス導入部とを有し、前記熱源部と浴槽との間で追い焚き循環回路を構成する風呂装置であって、前記炭酸ガス導入部は、炭酸ガスを水に溶解する炭酸ガス溶解装置と、追い焚き用熱交換器と、前記追い焚き用熱交換器を含む追い焚き循環回路の一部と、前記炭酸ガス溶解装置と前記追い焚き循環回路とを接続するガス溶解水接続流路とを備え、炭酸ガス溶解装置の上流側には炭酸ガス溶解装置に水を供給する水供給流路が接続され、炭酸ガス溶解装置の下流側は前記ガス溶解水接続流路によって追い焚き循環回路に接続されており、水供給流路から常温又は常温近くの水が炭酸ガス溶解装置に供給されて当該水に炭酸ガスが溶解され、前記ガス溶解水接続流路を介して前記炭酸ガスが溶解された水が追い焚き循環回路に導入されて浴槽に炭酸ガスが溶解された水が供給されるガス溶解水落とし込み動作が可能であることを特徴とする風呂装置である。
【０００９】
本発明の風呂装置では、追い焚き循環回路を経由して炭酸ガスが溶解した水が浴槽に供給される。そのため浴槽から水を出し入れするための出入口は、追い焚き循環回路用のものだけで足り、施工工事が容易である。
また本発明では、水供給流路から常温又は常温近くの水が炭酸ガス溶解装置に供給され、この温度が低い水に炭酸ガスが溶解される。そのため本発明によると、水中に溶解される炭酸ガスの濃度が高いものとなる。
さらに本発明の風呂装置では、炭酸ガス導入部がユニット化されているので、既設の風呂装置にユニット化した炭酸ガス導入部を取り付けることもできる。その結果、既設の風呂装置を炭酸浴を行う風呂装置に改良することもできる。
【００１０】
請求項２に記載の発明は、前記熱源部は水を加熱する機能を持ち、前記炭酸ガス導入部は熱源部で加熱された水が通過するガスレス水接続流路を有し、ガスレス水接続流路は前記ガス溶解水接続流路と合流して或いは前記ガス溶解水接続流路とは独立的に追い焚き循環回路に接続され、熱源部で加熱された水が追い焚き循環回路に導入されて浴槽に供給されることを特徴とする請求項１に記載の風呂装置。
【００１１】
本発明の風呂装置では、熱源部で加熱された水が炭酸ガスが溶解された水と共に浴槽に供給される。そのため浴槽内には両者が混入して適度な温度の水となる。
ガスレス水接続流路とガス溶解水接続流路と合流して追い焚き循環回路に接続された構成を採用する場合には、両者の合流部で熱源部で加熱された水と炭酸ガスを含む水が混合され、追い焚き循環回路内でさらに両者が混合されるので、浴槽内には適度な温度となった水が供給されることとなる。
またガスレス水接続流路とガス溶解水接続流路と合流して追い焚き循環回路に接続された構成を採用する場合には、両者の合流部に湯水混合弁等の混合装置を設けてもよい。即ちガスレス水接続流路を流れる加熱された水と、炭酸ガス溶解装置を経て流れる水を、湯水混合弁で適度な温度となる様に混合する構成を採用してもよい。
本発明では、常温又は常温近傍の水に炭酸ガスを溶解し、これに加熱された水を混合して温度を調整するものであるから、最終的に混合された水の炭酸ガス濃度が高い。
【００１２】
例えば摂氏４０度の炭酸ガス溶解水を１８０リットル浴槽に落とし込む場合を想定すると次の様な差が生じる。
即ち摂氏４０度の水に対する飽和炭酸ガス量は、１０４８ｍｇ／リットルである。従って摂氏４０度の水に炭酸ガスを溶解しようとしても、１０４８ｍｇ／リットル以上の炭酸ガスを溶解させることはできない。
これに対して常温水として摂氏１５度の水を使用し、加熱水として摂氏７５度の水を使用すると、混合後の水温を摂氏４０度とするためには、摂氏１５度の水が１０５リットル必要であり、摂氏７５度の水が７５リットル必要である。ここで摂氏１５度の水に対する飽和炭酸ガス量は、２０３８ｍｇ／リットルであるから、炭酸ガスが溶解された水と、加熱水を混合した後の炭酸ガス含有量は、１１８８ｍｇ／リットルとなり、過飽和状態の炭酸ガス溶解水を調整することができる。
【００１３】
請求項３に記載の発明は、熱源部で加熱された水を炭酸ガスを溶解することなく追い焚き循環回路に導入して浴槽に供給するガスレス落とし込み動作を実行可能であり、浴槽に落とし込む水の温度を設定する温度設定手段を有し、ガスレス落とし込み動作の際には熱源部から炭酸ガス導入部に送水される水の温度が前記温度設定手段で設定された設定温度に調整され、ガス溶解水落とし込み動作の際には、加熱されていない水をガス溶解水接続流路を経由して追い焚き循環回路に流すとともに熱源部で前記設定温度以上に加熱された水をガスレス水接続流路を経由して追い焚き循環回路に流し、浴槽に供給することを特徴とする請求項２に記載の風呂装置である。
【００１４】
本発明の風呂装置では、温度設定手段を有し、ガスレス落とし込み動作の際には熱源部から炭酸ガス導入部に送水される水の温度が前記温度設定手段で設定された設定温度に調整される。そのため炭酸ガスを含まず且つ適温の水を浴槽に供給することができる。
一方、炭酸ガスが溶解された水を浴槽に落とし込む場合には、加熱されていない水をガス溶解水接続流路を経由して追い焚き循環回路に流すとともに熱源部で設定温度以上に加熱された水をガスレス水接続流路を経由して追い焚き循環回路に流す。そのため両者が混合された結果、浴槽に供給される湯の温度が適度な温度となる。
【００１５】
請求項４に記載の発明は、ガス溶解水落とし込み動作の際には熱源部から炭酸ガス導入部に送水される加熱された水と加熱されていない水の混合後の温度が温度設定手段で設定された設定温度となる様に調整されることを特徴とする請求項２又は３に記載の風呂装置である。
【００１６】
本発明の風呂装置によると、浴槽に設定温度の水が供給される。
【００１７】
請求項５に記載の発明は、熱源部で加熱された水の温度と、加熱されていない水の温度から、加熱された水の適正量と加熱されていない水の適正量を演算し、当該演算に基づく量の加熱された水と加熱されていない水を追い焚き循環回路に導入して浴槽に供給することを特徴とする請求項２乃至４のいずれかに記載の風呂装置である。
【００１８】
本発明の風呂装置は、加熱された水の適正量と加熱されていない水の適正量を演算し、その演算値に基づく量の水を浴槽に供給するので、浴槽内の水の温度が適度なものとなる。
【００１９】
請求項６に記載の発明は、浴槽に落とし込む水の温度を設定する温度設定手段を有する構成であり、ガス溶解水落とし込み動作の際には設定温度が補正されて熱源部から炭酸ガス導入部に送水される加熱された水と加熱されていない水の混合後の温度が温度設定手段で設定された温度よりも高い温度となる様に調整されることを特徴とする請求２乃至５のいずれかに記載の風呂装置である。
【００２０】
本発明の風呂装置は、水中に溶解した炭酸ガスが湯張り中に気化することを考慮したものである。水中に溶解した炭酸ガスが気化すると、水（湯）の温度が低下する。即ち炭酸ガスが溶解した水（湯）は、炭酸ガスを含まない水（湯）に比べて温度が低下し易い傾向にある。そこで本発明では、ガス溶解水落とし込み動作の際には温度設定手段で設定された温度よりも高い温度となる様に補正することとした。
【００２１】
請求項７に記載の発明は、熱源部で加熱された水を炭酸ガスを溶解することなく追い焚き循環回路に導入して浴槽に供給するガスレス落とし込み動作を実行可能であり、浴槽に落とし込む水の温度を設定する温度設定手段を有し、ガスレス落とし込み動作の際には追い焚き循環回路に導入して浴槽に供給される水の温度が前記温度設定手段で設定された温度に調整され、ガス溶解水落とし込み動作の際には追い焚き循環回路に導入して浴槽に供給される水の混合後の温度が前記温度設定手段で設定された温度よりも低い温度となる様に調整され、所定量の水が浴槽内に溜まった後に浴槽内の水を追い焚き循環回路に循環させ、追い焚き用熱交換器によって追い焚き循環回路を流れる水を加熱して浴槽内の水の温度を前記温度設定手段で設定された温度に調整することを特徴とする請求２乃至５のいずれかに記載の風呂装置である。
【００２２】
本発明についても、炭酸ガスが溶解した水（湯）は、炭酸ガスを含まない水（湯）に比べて温度が低下し易い傾向にある点に配慮したものである。本発明の風呂装置では、浴槽に供給される水の混合後の温度が前記温度設定手段で設定された温度よりもあえて低い温度となる様に調整し、追い焚き用熱交換器によって追い焚き循環回路を流れる水を加熱して浴槽内の水の温度を前記温度設定手段で設定された温度に調整する。そのため浴槽内の水温が適正なものとなる。
【００２３】
請求項８に記載の発明は、前記熱源部は、熱媒体を加熱する熱媒体加熱部を有し、前記炭酸ガス導入部は前記追い焚き循環回路を含み、追い焚き用熱交換器は熱媒体と水との間で熱交換する液・液熱交換器であり、熱媒体加熱部で加熱された熱媒体が追い焚き用熱交換器に導入されて浴槽内の水と熱媒体との間で熱交換が行われることを特徴とする請求項１乃至７のいずれかに記載の風呂装置である。
【００２４】
本発明の風呂装置では、熱源部の熱媒体加熱部の機能を生かして追い焚きをおこなうことができる。
【００２５】
請求項９に記載の発明は、浴槽に水を落とし込み、予約した所定の時刻又は当該時刻に至るまでに、浴槽内の水を加熱して設定温度に至らすことができる時刻予約機能を備えていることを特徴とする請求項１乃至８のいずれかに記載の風呂装置である。
【００２６】
本発明の風呂装置は、予約した所定の時刻又は当該時刻に至るまでに、浴槽内の水を加熱して設定温度に至らすことができるため、入浴者の都合に合わせ易い。即ち、予約した時刻まで追い焚き運転の時刻が延長されるため、予約時刻に合わせていつでも高濃度の炭酸泉に入浴できる。
【００２７】
請求項１０に記載の発明は、浴槽と、任意の温度の水を作ることができる熱源部とに接続される炭酸ガス導入ユニットであって、浴槽内の水を追い焚き用熱交換器を経由して循環させる追い焚き循環回路形成部と、給水源に接続される低温側給水口と、熱源部に接続される高温側給水口と、炭酸ガスを水に溶解する炭酸ガス溶解装置と、ガス溶解水接続流路と、ガスレス水接続流路とを有し、炭酸ガス溶解装置の上流側には低温側給水口が接続され、炭酸ガス溶解装置の下流側はガス溶解水接続流路によって追い焚き循環回路形成部に接続されており、ガスレス水接続流路は一端側が高温側給水口に接続され他端側が前記ガス溶解水接続流路と合流して或いは前記ガス溶解水接続流路とは独立的に追い焚き循環回路形成部に接続されており、炭酸ガスが溶解された水と炭酸ガスが溶解されていない水が別々にまたは混合された後に浴槽に供給されることを特徴とする炭酸ガス導入ユニットである。
【００２８】
本発明は、炭酸ガス導入部をユニット化したものである。本発明の炭酸ガス導入ユニットによると、既設の風呂装置にユニット化した炭酸ガス導入部を取り付けることができる。その結果、既設の風呂装置を炭酸浴を行う風呂装置に改造することができる。
【００２９】
請求項１１に記載の発明は、熱媒体導入口と熱媒体排出口とを有し、追い焚き用熱交換器は熱媒体と水との間で熱交換する液・液熱交換器であり追い焚き用熱交換器に熱媒体導入口と熱媒体排出口とが接続されていることを特徴とする請求項１０に記載の炭酸ガス導入ユニットである。
【００３０】
本発明によると、熱源部の熱媒体加熱部の機能を生かして追い焚きを行うことができる。
【発明の効果】
【００３１】
本発明の風呂装置及び炭酸ガス導入ユニットは、従来技術に比べて水中の炭酸ガス濃度を高くすることができ、かつ施工工事も簡単であるという効果がある。
【図面の簡単な説明】
【００３２】
【図１】本発明の第１実施形態の風呂装置の作動原理図である。
【図２】図１の風呂装置の動作を示すフローチャートである。
【図３】図２のフローチャートの各段階における炭酸ガス導入ユニットと、熱源部間の信号の授受関係を示す表である。
【図４】本発明の第２実施形態の風呂装置の作動原理図である。
【図５】本発明の第３実施形態の風呂装置の作動原理図である。
【図６】本発明の第４実施形態の風呂装置の作動原理図である。
【図７】図６の第４実施形態の風呂装置の動作を示すフローチャートである。
【図８】図７のフローチャートの各段階における炭酸ガス導入ユニットと、熱源部間の信号の授受関係を示す表である。
【図９】本発明の第５実施形態の風呂装置の作動原理図である。
【発明を実施するための形態】
【００３３】
以下さらに本発明の実施形態について説明する。
本実施形態の風呂装置１は、図１に示すように熱源部２と、炭酸ガス導入ユニット３と、浴槽５によって構成されている。本実施形態では、これら三者は、それぞれ独立した装置であり、相互に配管接続されることによって風呂装置１を構成している。
本実施形態で採用する熱源部２は、公知の給湯暖房風呂ユニットであり、内部に３系統の配管回路が内蔵され、外部に温度設定等を行うリモコン６が設けられたものである。
熱源部２の構造及び作用は公知であるから、簡単に説明する。
即ち熱源部２は、その内部に給湯系配管回路７と、暖房系配管回路８と、風呂系配管回路１０が内蔵されている。
【００３４】
熱源部２の給湯系配管回路７は、給湯用燃焼機１１を有し、その給湯用燃焼機１１を利用して給水を加熱し、さらにバイパス水路１２を流れる水を混合して任意の温度の湯を作る回路である。
給湯用燃焼機１１は、公知のそれと同じものであり、缶体１３の内部にガスバーナ１５を有している。また缶体１３には、送風機（図示せず）や排気系統（図示せず）が設けられている。
そして缶体１３の内部であってガスバーナ１５の下流側に給湯用熱交換器１６が設けられている。
【００３５】
給湯系配管回路７は、前記した給湯用熱交換器１６を中心とする回路であり、給湯用熱交換器１６の上流側及び下流側にそれぞれ流路が設けられている。
即ち給湯用熱交換器１６の上流側には給水流路１８が接続されている。給水流路１８は熱源部２の内外を連通する給湯給水口１４を始端とするものであり、給湯用熱交換器１６の入水側に至っている。
給湯用熱交換器１６の下流側は、高温の湯が流れる高温湯流路２１となる。そして前記した給水流路１８と高温湯流路２１との間にバイパス流路１２が接続されている。バイパス流路１２には、流量調整弁２３が設けられている。
また給湯系配管回路７の各部には、センサーやバルブ等が設けられている。水の流れの上流側から説明すると、給湯系配管回路７の給水流路１８には、入水温度センサー２５と、流量センサー２８が接続されている。
【００３６】
また高温湯流路２１には高温湯温度センサー３０が接続されている。さらにバイパス流路１２の合流点から下流側に位置に、流量調整弁３１と出湯温度センサー３２が設けられており出湯口３４に至っている。
【００３７】
熱源部２の給湯系配管回路７の機能は、公知のそれと同一であり、カラン３５等が開かれることによって給湯系配管回路７の内部に水流が生じ、その水流を流量センサー２８が検知すると、ガスバーナ１５に点火されて給湯用熱交換器１６を流れる水が加熱される。ここでガスバーナ１５の燃焼量は、入水温度センサー２５が検知する入水温度と、流量センサー２８が検知する流量と、リモコン６で設定される設定温度に基づき決定される。
【００３８】
そして給湯用熱交換器１６から排出された高温の湯に、バイパス水路１２を流れる水が混合される。ここで出湯温度センサー３２の検知温度が、バイパス流路１２に設けられた流量調整弁２３にフィードバックされ、混合後の湯の温度が設定温度と一致する様に制御される。
【００３９】
次に熱源部２の暖房系配管回路８について説明する。暖房系配管回路８についても公知のそれと同一であるから、説明は概要に止める。
【００４０】
熱源部２の暖房系配管回路８は、暖房用燃焼機３６を利用して熱媒体を加熱し、当該熱媒体を循環させる機能を有するものである。
即ち暖房系配管回路８は、暖房用燃焼機３６を有している。暖房用燃焼機３６は、前記した給湯用燃焼機１１と同様に、缶体３８の内部にガスバーナ４０を有している。また缶体３８には、送風機（図示せず）や排気系統（図示せず）が設けられている。
そして缶体３８の内部であってガスバーナ４０の下流側に暖房用熱交換器４１が設けられている。
【００４１】
暖房系配管回路８は、外部配管と一体となって循環流路を形成するものであり、熱媒体戻り口４５から膨張タンク４６、循環ポンプ４７、暖房用熱交換器４１を経て熱媒体排出口５０に至る流路を備えている。
暖房系配管回路８では、熱媒体戻り口４５から熱源部２に導入された熱媒体が暖房用熱交換器４１で加熱昇温され、熱媒体排出口５０から排出されて暖房器具（図示せず）に至る。
なお実際の暖房系配管回路８は、高温の熱媒体を排出する排出口と低温の熱媒体を排出する排出口及び熱媒体戻り口４５と熱媒体排出口５０をバイパスするバイパス流路等を備えているが、これらの図示および説明は省略する。
【００４２】
次に風呂系配管回路１０について説明する。
風呂系配管回路１０は、熱源部側風呂用熱交換器５１と、循環ポンプ５２によって構成されている。
熱源部側風呂用熱交換器５１は、例えば銅製のもので、液・液熱交換器であり、その一次側には、前記した暖房系配管回路８から分岐した風呂用支流回路５３が接続されている。熱源部側風呂用熱交換器５１の二次側には、循環ポンプ５２が接続されている。
風呂系配管回路１０の本来の機能は、浴槽５と接続して追い焚き流路を形成し、浴槽５内の湯水を昇温するものであるが、本実施形態では、熱源部２の風呂系配管回路１０は使用せず、これに代わって後記する炭酸ガス導入ユニット３にこの機能を発揮させる。
また熱源部２は、給湯系配管回路７と風呂系配管回路１０とを繋ぐ落とし込み流路５４を備えているが、本実施形態では、熱源部２の落とし込み流路５４は使用せず、これに代わって炭酸ガス導入ユニット３にこの機能を発揮させる。
【００４３】
熱源部２のリモコン（温度設定手段）６は、公知のそれと同一であり、給湯温度の設定や浴槽内の湯の温度の設定、浴槽５への湯の自動落とし込み等の指示を行うことができるものである。
【００４４】
次に本実施形態の特徴的構成たる炭酸ガス導入ユニット３について説明する。
炭酸ガス導入ユニット３は、図１の様に、浴槽５と接続されて追い焚き循環回路５５を構成する追い焚き循環回路形成部５６と、温水調整部５７を有している。また炭酸ガス導入ユニット３はリモコンスイッチ５９を備えている。
【００４５】
追い焚き循環回路形成部５６は、炭酸ガス導入ユニット３の内外を連通する浴槽湯導入口６２を始端とし、同じく炭酸ガス導入ユニット３の内外を連通する浴槽湯排出口６１に至る一連の流路である。追い焚き循環回路形成部５６には、浴槽水位センサー６３、浴槽循環ポンプ６５、水流スイッチ６６、浴槽温度センサー６７、例えばステンレス製の風呂用液液熱交換器６８の二次側流路が順次設けられている。
【００４６】
風呂用液液熱交換器６８の一次側流路は、炭酸ガス導入ユニット３の内外を連通する熱媒体導入口６９と熱媒体排出口７４に接続されている。また熱媒体排出口７４と風呂用液液熱交換器６８の間には開閉弁６０が設けられている。開閉弁６０は具体的には熱動弁である。
【００４７】
また温水調整部５７は、高温系統たるガスレス水接続流路７０と、低温系統たる炭酸ガス供給系統７１の二系統に分かれている。
ここでガスレス水接続流路７０は、炭酸ガス導入ユニット３の内外を連通する高温側給水口７２を始端とし、高温側水量センサー７３、高温側開閉弁７５、高温側逆流防止装置７６が順次接続され、ガス溶解水接続流路７７と合流して追い焚き循環回路形成部５６に至っている。高温側開閉弁７５は具体的には電磁弁である。
【００４８】
一方炭酸ガス供給系統７１は、炭酸ガス導入ユニット３の内外を連通する低温側給水口７８を始端とし、低温側水量センサー８０、低温側流量調整弁８１、低温側逆流防止装置８２、炭酸ガス溶解装置８３、逆止弁８５が順次接続され、ガス溶解水接続流路７７を経由して追い焚き循環回路形成部５６に至っている。即ち炭酸ガス溶解装置８３の上流側には、水を供給する水供給流路８４があって炭酸ガス溶解装置８３に水が供給され、炭酸ガス溶解装置８３の下流側はガス溶解水接続流路７７によって追い焚き循環回路形成部５６に接続されている。
【００４９】
ここで炭酸ガス溶解装置８３は、ガス透過膜方式を採用したものであり、より詳細には中空糸型半透膜を利用して水と炭酸ガスを接触させ、水中に炭酸ガスを溶解するものである。
炭酸ガス溶解装置８３には、外部に設置された炭酸ガスボンベ８６が接続されている。即ち本実施形態では、炭酸ガス導入ユニット３に炭酸ガス導入口８７が設けられており、炭酸ガス導入口８７から炭酸ガス溶解装置８３に至る炭酸ガス配管８８が設けられている。炭酸ガス配管８８の中途には、炭酸ガス用電磁弁９０が設けられている。
【００５０】
また炭酸ガス供給系統７１に設けられた低温側流量調整弁８１は、閉め切り状態にすることができるものである。即ち低温側流量調整弁８１は、閉止弁としての機能も有している。
【００５１】
リモコンスイッチ５９は、炭酸ガス導入ユニット３の起動及び停止を行うスイッチである。
【００５２】
次に、前記した熱源部２と、炭酸ガス導入ユニット３と、浴槽５間の配管接続構造について説明する。
前記した熱源部２と、炭酸ガス導入ユニット３との接続関係を見ると、熱源部２の給湯給水口１４と、炭酸ガス導入ユニット３の低温側給水口７８とが外部の同一の給水源２０に接続されている。
【００５３】
また熱源部２の出湯口３４と、炭酸ガス導入ユニット３の高温側給水口７２が接続されている。より詳細には、熱源部２の出湯口３４は、カラン３５等の一般給湯栓に接続されているが、その配管の一部が分岐されて炭酸ガス導入ユニット３の高温側給水口７２に接続されている。
【００５４】
また熱源部２の熱媒体排出口５０と炭酸ガス導入ユニット３の熱媒体導入口６９とが接続され、炭酸ガス導入ユニット３の熱媒体排出口７４が熱源部２の熱媒体戻り口４５に接続されている。言い換えると、熱源部２の熱媒体排出口５０と熱媒体戻り口４５は、前記した様に図示しない暖房器具と接続されて一連の循環回路を形成しているが、当該循環回路の一部が分岐されて炭酸ガス導入ユニット３の熱媒体導入口６９と熱媒体排出口７４に接続されている。そのため炭酸ガス導入ユニット３は、図示しない暖房器具と並列接続された関係となり、熱源部２と一連の循環回路を構成する。
【００５５】
本実施形態では、熱源部２の風呂系配管回路１０は使用しない。そのため風呂系配管回路１０には、栓９１が装着されている。
【００５６】
また炭酸ガス導入ユニット３の浴槽湯導入口６２と浴槽湯排出口６１が浴槽５に取り付けられた循環金具９２と配管接続され、炭酸ガス導入ユニット３は、図１の様に、浴槽５と接続されて追い焚き循環回路５５を構成している。
【００５７】
次に本実施形態の風呂装置１の作用について説明する。
本実施形態の風呂装置１は、浴槽５内の湯を追い焚きする機能と、浴槽５内に所定の温度の湯を落とし込む機能を備えている。
【００５８】
浴槽５内の湯を追い焚きする場合には、追い焚き循環回路形成部５６に設けられた浴槽循環ポンプ６５を運転し、追い焚き循環回路５５内に浴槽５内の湯水を導入する。
そして風呂用液液熱交換器６８の一次側に接続された開閉弁６０を開き、風呂用液液熱交換器６８の一次側に熱源部２の暖房系配管回路８から高温の熱媒体を導入する。
その結果、風呂用液液熱交換器６８の一次側を流れる高温の熱媒体と、風呂用液液熱交換器６８の二次側を流れる浴槽５内の湯水が熱交換して昇温し、浴槽５に戻される。
【００５９】
次に浴槽５内に所定の温度の湯を落とし込む機能について説明する。本実施形態の風呂装置１は、通常の湯（炭酸ガスを含有しない湯）と、炭酸ガスを含有する湯を浴槽５に落とし込むことができる。
即ち浴槽５に通常の湯（炭酸ガスを含有しない湯）を落とし込む場合には、炭酸ガス導入ユニット３のガスレス水接続流路７０を開き、炭酸ガス供給系統７１を閉じる。
より具体的には、ガスレス水接続流路７０に設けられた高温側開閉弁７５を開く。一方、炭酸ガス供給系統７１の低温側流量調整弁８１を全閉状態とする。
炭酸ガス配管８８に設けられた炭酸ガス用電磁弁９０は閉じておく。
【００６０】
前記した様に高温側開閉弁７５を開くと、給水源２０から熱源部２の給湯系配管回路７を経て炭酸ガス導入ユニット３のガスレス水接続流路７０に入り、追い焚き循環回路５５を経由して浴槽５に抜ける一連の流路が開く。
その結果、給水源２０の圧力に押されて熱源部２の給湯系配管回路７に水流が生じ、ガスバーナ１５に点火されて給湯用熱交換器１６を流れる水が加熱される。そして給湯用熱交換器１６から排出された高温の湯にバイパス水路１２を流れる水がを混合されて前記したリモコン６で設定した温度に調整され、炭酸ガス導入ユニット３に導入される。さらにこの湯は、炭酸ガス導入ユニット３のガスレス水接続流路７０から追い焚き循環回路５５に入り、追い焚き循環回路５５を経由して浴槽５に落とし込まれる。即ち浴槽５に通常の湯（炭酸ガスを含有しない湯）を落とし込む場合には、熱源部２で加熱され温度調節された湯が炭酸ガス導入ユニット３を素通りし、熱源部２で加熱され温度調節された湯がそのままの状態で浴槽５に落とし込まれる。
【００６１】
ガスレス水接続流路７０を流れる湯の量は、ガスレス水接続流路７０に設けられた高温側水量センサー７３で積算され、所定の量に至った場合にはガスレス水接続流路７０に設けられた高温側開閉弁７５が閉じられ、落とし込みを終了する。例えば、浴槽５に１８０リットルの湯を落とし込むのであれば、ガスレス水接続流路７０の積算値が１８０リットルとなった時点で高温側開閉弁７５を閉じる。
【００６２】
また上記した経路を経て浴槽５に落とし込まれるのは、熱源部２の給湯系配管回路７で温度調整された湯、そのものであるから、浴槽５に落とし込まれた湯の温度は、熱源部２のリモコン６に設定された湯の温度である。
【００６３】
次に本実施形態の風呂装置１を使用して炭酸ガスを含有する湯を浴槽５に落とし込む場合について説明する。
炭酸ガスを含有する湯を浴槽５に落とし込む場合には、炭酸ガス導入ユニット３側から熱源部２側に高温の湯の供給を要求してガスレス水接続流路７０を通過させる。一方、炭酸ガス供給系統７１側には常温の水（上水）を通過させ、炭酸ガス導入ユニット３のガスレス水接続流路７０と、炭酸ガス供給系統７１の双方から浴槽５に湯水を供給する。
ここで本実施形態の風呂装置１では、各弁の開閉指示と共に、ガスレス水接続流路７０から浴槽５に供給する湯の量と、炭酸ガス供給系統７１から浴槽５に供給する湯の量を演算する。
【００６４】
即ち炭酸ガス供給系統７１には常温の水を通過させる。一方、ガスレス水接続流路７０には、リモコン６の設定温度よりも高い温度の湯を流す。そして両者は、ガス溶解水接続流路７７や追い焚き循環回路５５で混じり合い、さらに浴槽５内で攪拌されて均一な温度の湯となる。そこで本実施形態では、湯の落とし込みに先立って、浴槽５内の湯がリモコン６で設定された湯の温度となる様に、ガスレス水接続流路７０から浴槽５に供給する湯の量と、炭酸ガス供給系統７１から浴槽５に供給する湯の量の割合を演算する。
【００６５】
演算式は、通常の熱量演算であり、次式による。
【００６６】
Ｔ・Ｑ＝ＴＡ・ＱＡ＋ＴＢ・ＱＢ  （式１）
【００６７】
上記式は、
Ｔ：風呂設定温度（落とし込む湯の設定温度）
Ｑ：風呂設定湯量（落とし込む湯の総量、ＱＡとＱＢの加算値）
ＴＡ：上水の温度
ＱＡ：炭酸ガス溶解水の量（炭酸ガス供給系統７１を流れる水量）
ＴＢ：高温湯温度（ガスレス水接続流路７０を流れる湯の温度）
ＱＢ：高温湯の量（ガスレス水接続流路７０を流れる水量）
と、されている。
【００６８】
そして炭酸ガス導入ユニット３側から熱源部２側に高温の湯の供給を要求する。例えば熱源部２の流量調整弁２３を全閉するか、最も絞った状態とし、バイパス流路１２を流れる水を遮断して高温湯流路２１を流れる湯をそのまま熱源部２から出湯させる。
また炭酸ガス導入ユニット３のガスレス水接続流路７０と炭酸ガス供給系統７１の双方を開く。
より具体的には、ガスレス水接続流路７０に設けられた高温側開閉弁７５を開くと共に炭酸ガス供給系統７１の低温側流量調整弁８１を所定量開口させる。また炭酸ガス配管８８に設けられた炭酸ガス用電磁弁９０を開く。
【００６９】
その結果、前記した様に給水源２０の圧力に押されて熱源部２の給湯系配管回路７に水流が生じ、ガスバーナ１５に点火されて給湯用熱交換器１６を流れる水が加熱され、熱源部２から炭酸ガス導入ユニット３に湯が導入される。ここで炭酸ガスを含有する湯を浴槽５に落とし込む場合は、炭酸ガス導入ユニット３側から熱源部２側に高温の湯の供給が要求されているから、熱源部２は、自己のリモコン６の設定温度を無視し、例えば摂氏７５という様な高温の湯を出湯口３４から出湯させる。さらにこの高温の湯は、炭酸ガス導入ユニット３のガスレス水接続流路７０から追い焚き循環回路５５に入り、追い焚き循環回路５５を経由して浴槽５に落とし込まれる。
【００７０】
ガスレス水接続流路７０を流れる湯の量は、ガスレス水接続流路７０に設けられた高温側水量センサー７３で積算され、所定の量に至った場合にはガスレス水接続流路７０に設けられた高温側開閉弁７５が閉じられる。
【００７１】
一方、炭酸ガス供給系統７１においては、低温側流量調整弁８１が開かれることによって給水源２０から常温の上水が供給される。上水は、炭酸ガス供給系統７１を流れて炭酸ガス溶解装置８３に至り、炭酸ガスと接触して炭酸ガスが溶解される。ここで本実施形態では、炭酸ガス供給系統７１に低温側流量調整弁８１が設けられており、炭酸ガス供給系統７１を流れる水量が炭酸ガスの供給量及び炭酸ガス溶解装置８３の処理能力に合わせて調節される。
炭酸ガスが溶解された常温水は、ガス溶解水接続流路７７を経由して追い焚き循環回路形成部５６に入り、追い焚き循環回路５５を経由して浴槽５に落とし込まれる。
【００７２】
炭酸ガス供給系統７１を流れる湯の量は、炭酸ガス供給系統７１に設けられた低温側水量センサー８０で積算され、所定の量に至った場合には炭酸ガス供給系統７１に設けられた低温側流量調整弁８１が閉じられる。
同時にガスレス水接続流路７０においては、高温側開閉弁７５が閉じられ、落とし込みを終了する。
【００７３】
実際の浴槽５への炭酸ガス溶解水の落とし込み工程は、図２のフローチャートの通りである。
即ち浴槽５への炭酸ガス溶解水の落とし込みは、炭酸ガス導入ユニット３側のリモコンスイッチ５９がオン状態であり、その状態下において、熱源部２側のリモコン６で湯の自動落とし込みを要求することによって開始される。
ここで図３の表の様に、炭酸ガス導入ユニット３側のリモコンスイッチ５９のＯＮ、ＯＦＦ状態は、図示しない通信回線で、熱源部２側に送信されている。また熱源部２側で湯の自動落とし込みを要求がなされているか否かは、図示しない通信回線で、熱源部２側から炭酸ガス導入ユニット３側に送信されている。
【００７４】
そして風呂装置１の使用者が、熱源部２側のリモコン６で湯の自動落とし込みを要求すると、熱源部２側の制御装置（図示せず）が、炭酸ガス導入ユニット３側のリモコンスイッチ５９のＯＮ、ＯＦＦ状態を確認する（ステップ１）。
そして炭酸ガス導入ユニット３側のリモコンスイッチ５９がＯＮであるならば、ステップ２以下に進み、浴槽５への炭酸ガス溶解水の落とし込みが開始される。なお図３の表に示す様に、熱源部２側のリモコン６で湯の自動落とし込みを要求すると、この事実を示す信号が熱源部２側から炭酸ガス導入ユニット３側に送信される（Ｎｏ．Ａ）。
【００７５】
炭酸ガス導入ユニット３側のリモコンスイッチ５９がＯＮであるならば（図３のＮｏ．Ｂ）、ステップ２に進み、高温側開閉弁７５、低温側流量調整弁８１及び炭酸ガス用電磁弁９０を開く。また熱源部２の給湯系配管回路７から摂氏７５〜８０度程度の高温の湯が出湯される様にバイパス流路１２の流量調整弁２３が制御される。例えば流量調整弁２３が全閉状態となる。
続くステップ３で、熱源部２側のリモコン６で設定された条件が、熱源部２側から炭酸ガス導入ユニット３側に送信される。より具体的には、風呂設定温度（落とし込む湯の設定温度）と風呂設定湯量（落とし込む湯の総量）に関する情報が、熱源部２側から炭酸ガス導入ユニット３側に送信される（図３のＮｏ．Ｃ）。
【００７６】
そして炭酸ガス導入ユニット３側の制御装置で、前記した（式１）の演算が行われ、浴槽５内の湯がリモコン６で設定された風呂設定温度となる様に、ガスレス水接続流路７０から浴槽５に供給する湯の量と、炭酸ガス供給系統７１から浴槽５に供給する湯の量が演算される（ステップ４）。
【００７７】
前記した様にステップ２で、高温側開閉弁７５が開かれているから、熱源部２から高温の湯が出湯されて炭酸ガス導入ユニット３に導入され、この高温の湯は、ガスレス水接続流路７０から追い焚き循環回路５５に入り、追い焚き循環回路５５を経由して浴槽５に落とし込まれる。
同じく前記したステップ２で、低温側流量調整弁８１が開かれているから、炭酸ガス導入ユニット３に給水源２０から常温の上水が供給され、上水は、炭酸ガス供給系統７１を流れて炭酸ガス溶解装置８３に至る。また前記したステップ２で炭酸ガス用電磁弁９０が開かれているから、炭酸ガス溶解装置８３内で上水と炭酸ガスと接触して炭酸ガスが溶解される。
炭酸ガスが溶解された常温水は、ガス溶解水接続流路７７を経由して追い焚き循環回路形成部５６に入り、追い焚き循環回路５５を経由して浴槽５に落とし込まれる。
【００７８】
そしてステップ５で、高温の湯の供給量、または炭酸ガスが溶解された常温水の供給量のいずれかが、前記した演算で得られた流量に達したか否かが監視される。
いずれかの供給量が前記した演算で得られた流量に達しておればステップ６に進み、所定流量に達したのが高温の湯であるのか、あるいは炭酸ガスが溶解された常温水であるかを判断する。
【００７９】
もし先に炭酸ガスが溶解された常温水の供給量が、必要量に達したのであれば、炭酸ガスが溶解された常温水の供給を停止し、高温の湯の供給量が必要量に達するのを待つ。
即ちステップ６で、炭酸ガスが溶解された常温水の供給量が必要量に達したことが確認されれば、ステップ７に進み、低温側流量調整弁８１と炭酸ガス用電磁弁９０を閉じ、炭酸ガスが溶解された常温水の供給を停止する。
そしてステップ８に進み、高温の湯の供給量が必要量に達するのを待つ。
高温の湯の供給量が必要量に達したならばステップ８がＹＥＳとなり、ステップ９に進んで高温側開閉弁７５を閉じ、高温の湯の供給を停止し、設定温度まで沸き上げを開始する。
なお高温の湯の供給量が必要量に達した段階で、図３の表の様に落とし込みが完了した事実と、設定温度まで沸き上げを開始する指令が、炭酸ガス導入ユニット３側から熱源部２側に送信される（Ｎｏ．Ｄ）。
【００８０】
続くステップ１０では、追い焚き循環回路形成部５６に設けられた浴槽循環ポンプ６５を運転し、追い焚き循環回路５５内に浴槽５内の水を導入する。そして追い焚き循環回路５５に設けられた浴槽温度センサー６７の温度を検知し、この温度がリモコン（熱源部２側）で設定した風呂設定温度（落とし込む湯の設定温度）と等しいか否かを判断する。
【００８１】
そして浴槽温度センサー６７の検知温度がリモコン（熱源部２側）で設定した風呂設定温度（落とし込む湯の設定温度）よりも低い場合には、追い焚きを行う。即ち風呂用液液熱交換器６８の一次側に接続された開閉弁６０を開き、風呂用液液熱交換器６８の一次側に熱源部２の暖房系配管回路８から高温の熱媒体を導入して風呂用液液熱交換器６８の一次側を流れる高温の熱媒体と、風呂用液液熱交換器６８の二次側を流れる浴槽５内の湯水が熱交換して昇温させる。
所定の温度まで沸きあがったならば自動お湯はり運転を終了する。この事実は、図３の表の様に炭酸ガス導入ユニット３側から熱源部２側に送信される（Ｎｏ．Ｅ）。
【００８２】
また前記したステップ６で、高温の湯の供給量の方が先に所定流量に達しておれば、ステップ１１に移行し、高温の湯の供給を停止し、炭酸ガスが溶解された常温水が必要量に達するのを待つ。
即ちステップ６で、高温の湯の供給量が必要量に達したことが確認されれば、ステップ１１に進み、高温側開閉弁７５を閉じ、高温の湯の供給を停止する。
そしてステップ１２に進み、炭酸ガスが溶解された常温水の供給量が必要量に達するのを待つ。
炭酸ガスが溶解された常温水の供給量が必要量に達したならばステップ１２がＹＥＳとなり、ステップ１３に進んで低温側流量調整弁８１を閉じ、炭酸ガスが溶解された常温水の供給を停止し、前記したステップ１０に移行して追い焚きを行う。
なおこの場合にも、図３の表の様に落とし込みが完了した事実と、設定温度まで沸き上げを開始する事実が、炭酸ガス導入ユニット３側から熱源部２側に送信される。
そして所定の温度まで沸きあがったならば自動お湯はり運転を終了する。
【００８３】
以上説明した実施形態では、炭酸ガスを溶解した湯を落とし込む際、浴槽５に入った炭酸ガスを溶解した常温の水と熱源部２から供給される高温の湯が混じりあい、浴槽５内の湯がリモコン６で設定された風呂設定温度となる様に、ガスレス水接続流路７０から浴槽５に供給する湯の量と、炭酸ガス供給系統７１から浴槽５に供給する湯の量を演算した。しかしながら、本発明者らの実験によると、上記した単なる熱量演算によって常温の水の量と、高温の湯の量を決定した場合、混合後の湯の温度が、計算値（リモコン６で設定された風呂設定温度）よりも若干低くなる傾向があることが判明した。
【００８４】
この理由は定かではないが、水中に溶解した炭酸ガスが気化する際に、湯から熱を奪って湯の温度を下げてしまうのではないかと予想される。
【００８５】
そこでこの対策として、炭酸ガスを溶解した湯を落とし込む際には、高温の湯の割合をやや多めに補正し、計算上の混合後の湯の温度を少し高めておくことが考えられる。
実際には、摂氏０．３度から摂氏１．０度程度、高くなる様に演算する。この場合の式は、次の通りである。
【００８６】
Ｔ・Ｑ＋Ｃ＝ＴＡ・ＱＡ＋ＴＢ・ＱＢ  （式２）
【００８７】
ここで
Ｔ：風呂設定温度（落とし込む湯の設定温度）
Ｑ：風呂設定湯量（落とし込む湯の総量、ＱＡとＱＢの加算値）
ＴＡ：上水の温度
ＱＡ：炭酸ガス溶解水の量（炭酸ガス供給系統７１を流れる水量）
ＴＢ：高温湯温度（ガスレス水接続流路７０を流れる湯の温度）
ＱＢ：高温湯の量（ガスレス水接続流路７０を流れる水量）
Ｃ：補正値（正の数字）
【００８８】
またもう一つの方策として、炭酸ガスを溶解した湯を落とし込む際に、高温の湯の割合を故意に少なめに補正し、計算上の混合後の湯の温度が明らかにリモコン６で設定された風呂設定温度よりも低くなる様に調整し、ステップ１１の追い焚きによって所定の温度まで沸き上げることも推奨される。
この方策が優れている点について説明する。
即ち前記した通り、式１の熱量演算によって常温の水の量と高温の湯の量を決定した場合、混合後の湯の温度が、計算値（リモコン６で設定された風呂設定温度）よりも若干低くなる傾向があるのは事実である。しかしながら設定温度との差は、僅かであるから、この差が追い焚きを行う閾値に達しない場合がある。そのため設定温度よりも僅かに低い状態で自動落とし込みを終了してしまう懸念がある。
【００８９】
そこで、落とし込まれた湯の温度と設定温度との差が明らかに閾値を超える様に故意に落とし込まれた湯の温度を下げる。
実際には、摂氏０．２度から摂氏０．５度程度、低くなる様に演算する。この場合の式は、次の通りである。
【００９０】
Ｔ・Ｑ−Ｄ＝ＴＡ・ＱＡ＋ＴＢ・ＱＢ  （式３）
【００９１】
ここで
Ｔ：風呂設定温度（落とし込む湯の設定温度）
Ｑ：風呂設定湯量（落とし込む湯の総量、ＱＡとＱＢの加算値）
ＴＡ：上水の温度
ＱＡ：炭酸ガス溶解水の量（炭酸ガス供給系統７１を流れる水量）
ＴＢ：高温湯温度（ガスレス水接続流路７０を流れる湯の温度）
ＱＢ：高温湯の量（ガスレス水接続流路７０を流れる水量）
Ｄ：補正値（正の数字）
【００９２】
以上説明した実施形態では、熱源部２から供給される高温の湯と、炭酸ガスを溶解する常温の水とを別々に計量し、それぞれを落とし込むことによって浴槽５内の湯の温度を風呂設定温度に一致させる方策を採用した。しかしながら、この方策によると、高温の湯だけが浴槽５に供給されてしまうタイミングや、常温水だけが浴槽５に供給されてしまうタイミングがある。そのため湯の落とし込み中に浴槽５内に入浴者がいると、入浴者に不快な思いをさせてしまう懸念がある。
【００９３】
そこで、浴槽５に至る前に高温の湯と、炭酸ガスが溶解された常温の水とを混合し、所定の温度に調整した後に追い焚き循環回路５５に供給する方策も有効である。
図４に示す風呂装置１００は、上記した考えに基づいて設計されたものであり、ガスレス水接続流路７０とガス溶解水接続流路７７との合流部に、湯水混合弁１０１が設けられている。また湯水混合弁１０１の下流側に、温度センサー１０２が設けられており、この温度センサー１０２の検知温度が、風呂設定温度と一致する様に湯水混合弁１０１の開度が制御される。
【００９４】
また本実施形態では、湯水混合弁１０１の下流側に、水量センサー１０３が設けられており、当該水量センサー１０３の積算水量が風呂設定湯量（落とし込む湯の総量）となった場合に落とし込みを終了する。
【００９５】
図４に示す風呂装置１００は、熱源部２と炭酸ガス導入部３とに分かれており、前記熱源部２は、任意の温度の水を作ることができる給湯系配管回路７を有し、前記炭酸ガス導入部３は、炭酸ガス混入装置８３と、追い焚き循環回路５５と、接続流路とを含み、さらに炭酸ガス導入部３の接続流路には二種類の温度の水を混合する湯水混合部があり、熱源部２で温度の高い水が作られ当該温度の高い水と炭酸ガス混入装置８３から排出される常温又は常温近くの水とが前記湯水混合部で混合されて所定の温度に調整され、追い焚き循環回路５５に導入されて浴槽５に供給される構成である。
【００９６】
また湯の温度が、若干低くなる現象に対する対策を図４に示す風呂装置１００に採用する場合には、次の構成が推奨される。
即ち、熱源部２で作られた常温より高い温度の水を炭酸ガスを混入することなく追い焚き循環回路５５に導入して浴槽５に供給するガスレス落とし込み動作を実行可能であり、浴槽５に落とし込む水の温度を設定する温度設定手段を有し、ガスレス落とし込み動作の際には所定の位置に設けられた温度センサー（熱源部２の出湯温度センサー３２）の検知温度がフィードバックされて水の温度が前記温度設定手段で設定された温度に調整され、ガス混入水落とし込み動作の際には前記温度センサー又は他の温度センサー（炭酸ガス導入ユニット３の温度センサー１０２）の検知温度がフィードバックされて水の温度が前記温度設定手段で設定された設定温度に調整されるものであり、ガス混入水落とし込み動作の際にはガスレス落とし込み動作の際に比べて設定温度が実質的に上方に補正される風呂装置である。
【００９７】
以上説明した実施形態では、熱源部２として公知の給湯暖房風呂ユニットを採用しており、内部に３系統の配管回路が内蔵されている。即ち前記した熱源部２は、その内部に給湯系配管回路７と、暖房系配管回路８と、風呂系配管回路１０が内蔵されている。
しかしながら先の実施形態では、熱源部２に内蔵する風呂系配管回路１０を使用しないから、例えば図５に示す風呂装置１０５の様に、風呂系配管回路１０を持たない構成の熱源部１０６を利用することもできる。
【００９８】
さらに本発明は、図６に示す風呂装置１０８の様に給湯系配管回路７を持たない熱源部１０７を採用することもできる。
図６に示す風呂装置１０８では、熱源部１０７として所謂暖房専用機と称される機器が採用されている。熱源部１０７は、暖房系配管回路８だけがあり、給湯系配管回路７と、風呂系配管回路１０は備えていない。
【００９９】
炭酸ガス導入ユニット３の構造は、前記した第１実施形態と同一である。
給湯系配管回路７を持たない熱源部１０７を採用する場合には、炭酸ガス導入ユニット３のガスレス水接続流路７０には何も接続せず、栓１１０を装着しておく。
他の配管構造は、前記した第１実施形態と同一であり、炭酸ガス導入ユニット３の低温側給水口７８を給水源２０に接続している。
【０１００】
また熱源部１０７の熱媒体排出口５０と炭酸ガス導入ユニット３の熱媒体導入口６９とが接続され、炭酸ガス導入ユニット３の熱媒体排出口７４が熱源部２の熱媒体戻り口４５に接続され、熱源部２と一連の循環回路を構成している。
【０１０１】
本実施形態の風呂装置１０８を利用して炭酸ガスを含有する湯水を浴槽５に落とし込む場合には、炭酸ガス供給系統７１側には常温の水を通過させ、炭酸ガス導入ユニット３の炭酸ガス供給系統７１のみから水を供給する。
そしてその後に浴槽５内の湯を追い焚きして所定の温度に沸き上げる。即ち追い焚き循環回路形成部５６に設けられた浴槽循環ポンプ６５を運転し、追い焚き循環回路５５内に浴槽５内の水を導入する。
さらに風呂用液液熱交換器６８の一次側に接続された開閉弁６０を開き、風呂用液液熱交換器６８の一次側に熱源部２の暖房系配管回路８から高温の熱媒体を導入する。
その結果、風呂用液液熱交換器６８の一次側を流れる高温の熱媒体と、風呂用液液熱交換器６８の二次側を流れる浴槽５内の湯水が熱交換して昇温し、浴槽５内の水が加熱される。
なお、この動作においては、浴槽５に落とし込まれた水が加熱されて設定温度に至るまでの時刻を予約することができる（時刻予約機能）。即ち、リモコン６で自動落とし込みの時刻を予約すると、その予約した時刻又はその時刻に至るまでに設定温度に追い焚きされる。例えば、リモコン６で炭酸ガスを含有した湯の自動落とし込み時刻をＰＭ８：００に予約すると、ＰＭ８：００丁度又はＰＭ８：００に至るまでに落とし込みと、追い焚きが完了するように風呂装置１０８が制御される。これにより、本実施形態によれば、使用者の都合に合わせた動作を制御できる。
【０１０２】
図７は、落とし込みを行う際のフローチャートを示すものである。
本実施形態においても、浴槽５への炭酸ガス溶解水の落とし込みは、炭酸ガス導入ユニット３側のリモコンスイッチ５９がオン状態であり、その状態下において、熱源部２側のリモコン６で湯の自動落とし込みを要求することによって開始される。
本実施形態についても、図８の表の様に、炭酸ガス導入ユニット３側のリモコンスイッチ５９のＯＮ、ＯＦＦ状態は、図示しない通信回線で、熱源部２側に送信されている。また熱源部２側で湯の自動落とし込みを要求がなされているか否かは、図示しない通信回線で、熱源部２側から炭酸ガス導入ユニット３側に送信されている。
【０１０３】
そして風呂装置１０８の使用者が、熱源部２側のリモコン６で湯の自動落とし込みを要求すると、熱源部２側の制御装置（図示せず）が、炭酸ガス導入ユニット３側のリモコンスイッチ５９のＯＮ、ＯＦＦ状態を確認する（ステップ１）。
ここで炭酸ガス導入ユニット３側のリモコンスイッチ５９がＯＮであるならば、ステップ２以下に進み、浴槽５への炭酸ガス溶解水の落とし込みが開始される。
ステップ２では、低温側流量調整弁８１と炭酸ガス用電磁弁９０を開く。そしてステップ３で、常温水の供給量が、前記した設定された流量に達したか否かが監視される。
供給量が流量に達しておればステップ４に進み、低温側流量調整弁８１と炭酸ガス用電磁弁９０を閉じ、炭酸ガスが溶解された常温水の供給を停止する。
そして、追い焚き循環回路形成部５６に設けられた浴槽循環ポンプ６５を運転し、追い焚き循環回路５５内に浴槽５内の水を導入する。そして追い焚き循環回路５５に設けられた浴槽温度センサー６７の温度を検知し、この温度がリモコン（熱源部２側）で設定した風呂設定温度（落とし込む湯の設定温度）と等しいか否かを判断する。
なお常温水の供給量が必要量に達した段階で、図８の表の様に落とし込みが完了した事実と、設定温度まで沸き上げを開始する指令が、炭酸ガス導入ユニット３側から熱源部２側に送信される。
【０１０４】
そして浴槽温度センサー６７の検知温度がリモコン（熱源部２側）で設定した風呂設定温度（落とし込む湯の設定温度）よりも低い場合には、追い焚きを行う（ステップ５）。即ち風呂用液液熱交換器６８の一次側に接続された開閉弁６０を開き、風呂用液液熱交換器６８の一次側に熱源部２の暖房系配管回路８から高温の熱媒体を導入して風呂用液液熱交換器６８の一次側を流れる高温の熱媒体と、風呂用液液熱交換器６８の二次側を流れる浴槽５内の湯水が熱交換して昇温させる。
所定の温度まで沸きあがったならば自動お湯はり運転を終了する。この事実は、炭酸ガス導入ユニット３側から熱源部２側に送信される。
【０１０５】
本実施形態では、炭酸ガス導入ユニット３の炭酸ガス供給系統７１のみを使用し、ガスレス水接続流路７０には何も接続しないので、ガスレス水接続流路７０は無くてもよい。図９に示す風呂装置１１１は、ガスレス水接続流路７０を省略した炭酸ガス導入ユニット３を使用した例を示すものである。
【０１０６】
以上説明した実施形態では、炭酸ガス溶解装置８３としてガス透過膜方式を採用し、さらにその中で中空糸型半透膜を利用した構成を採用した。しかしながら本発明は、ガス透過膜方式に限定されるものではなく、ミキサー方式、圧力タンク方式、バブリング方式、燃焼気体接触方式のいずれの方式を採用することもできる。
【０１０７】
ここでミキサー方式とは、ミキサーに水と炭酸ガスを供給し、ガスを微細化すると共に加圧して炭酸ガスを溶解させる方法である。
圧力タンク方式とは、加圧タンクの中で炭酸ガスを水中に噴射し、気液界面で濃度差によって炭酸ガスを溶解する方法である。
バブリング方式とは、常温状態の水中に気泡状の炭酸ガスを供給し、気液界面で温度差によって炭酸ガスを溶解する方法である。
燃焼気体接触方式とは、燃焼排ガスに水を接触させ、排ガス中の炭酸ガスを水に吸収させる方法である。
【０１０８】
また上記した実施形態では、ガスレス水接続流路７０がガス溶解水接続流路７７と合流して追い焚き循環回路５５に接続される回路構成を開示した。この回路構成は、合流部分で湯水が攪拌されて温度が均一化する効果があるため推奨されるが、ガスレス水接続流路７０とガス溶解水接続流路７７とがそれぞれ独立して追い焚き循環回路５５に接続される構成を否定するものではない。
【符号の説明】
【０１０９】
１    風呂装置
２    熱源部
３    炭酸ガス導入ユニット（炭酸ガス導入部）
５    浴槽
６    リモコン（温度設定手段）
５５    追い焚き循環回路
５６    追い焚き循環回路形成部
６８    風呂用液液熱交換器（追い焚き用熱交換器）
６９    熱媒体導入口
７０    ガスレス水接続流路
７２    高温側給水口
７４    熱媒体排出口
７７    ガス溶解水接続流路
７８    低温側給水口
８３    炭酸ガス溶解装置
８４    水供給流路
【図１】
2011208915.tif 000003
【図２】
2011208915.tif 000004
【図３】
2011208915.tif 000005
【図４】
2011208915.tif 000006
【図５】
2011208915.tif 000007
【図６】
2011208915.tif 000008
【図７】
2011208915.tif 000009
【図８】
2011208915.tif 000010
【図９】
2011208915.tif 000011